(57)【要約】【課題】接続配線が露出することなく、スクリーン部の操作の邪魔にならないようにする。【解決手段】ロールスクリーン装置１は、シート状に構成される複数の太陽電池ユニット１１が並設されて構成されるスクリーン部２と、スクリーン部２を巻き取り可能な巻き取り部３とを備える。巻き取り部３は、太陽電池ユニット１１に接続される接続配線１５を内部に挿通するための配線口１８を有する。配線口１８は、巻き取り部３の長手方向の中途部に設けられる。【選択図】図３
2014198972.tif 000002
【特許請求の範囲】
【請求項１】
シート状に構成される複数の太陽電池ユニットが並設されて構成されるスクリーン部と、スクリーン部を巻き取り可能な巻き取り部とを備え、
巻き取り部は、太陽電池ユニットに接続される接続配線を内部に挿通するための配線口を有し、
配線口は、巻き取り部の長手方向の中途部に設けられることを特徴とするロールスクリーン装置。
【請求項２】
巻き取り部は、配線口から内部に挿通される接続配線を接続するロータリコネクタを備える請求項１に記載のロールスクリーン装置。
【請求項３】
配線口は、スクリーン部の幅方向の端部よりも幅方向の内側の位置で、巻き取り部の長手方向の中途部に設けられる請求項１又は２に記載のロールスクリーン装置。
【請求項４】
スクリーン部は、太陽電池ユニットと巻き取り部とを連結するシート状の連結部を備え、
連結部は、太陽電池ユニットに設けられる接続配線と、配線口に挿通される配線とを電気的に接続するための接続配線を備える請求項１から３のいずれか１項に記載のロールスクリーン装置。
【請求項５】
巻き取り部は、太陽電池ユニットによって発電される電力を蓄電するバッテリを内部に備える請求項１から４のいずれか１項に記載のロールスクリーン装置。
【発明の詳細な説明】
【技術分野】
【０００１】
本発明は、スクリーン部に発電機能を備えたロールスクリーン装置に関する。
【背景技術】
【０００２】
従来、壁際や窓際で使用されるロールスクリーン装置は、主として遮光するために用いられるものであったが、近年、そのスクリーンの部分に太陽電池を設けて遮光と発電の両方を行うものが開発されてきた。太陽電池は、太陽光によって発電が可能な、クリーンなエネルギー源である。そして、ロールスクリーン装置は、窓等から屋内に日光が入り込まないように太陽光を遮蔽する装置であるため、遮蔽した太陽光を有効に利用することができる。
【０００３】
例えば、発電機能を備えたロールスクリーン装置は、ロールスクリーン本体（以下「スクリーン部」という）と、スクリーン部を巻き取ることによって、収納可能なカーテンボックスとを備え、このスクリーン部の一方の面にフィルム型太陽電池が貼り付けられ、スクリーン部の反対側の面に、フィルム型蓄電池が貼り付けられている（例えば特許文献１参照）。このような蓄電池の設置によって、必要なときのバックアップ電源としても、災害時の非常用電源としても活用可能とできる点も開示されている。
【先行技術文献】
【特許文献】
【０００４】
【特許文献１】特開２００８−４２１４２号公報
【発明の概要】
【発明が解決しようとする課題】
【０００５】
従来の発電機能を備えたロールスクリーン装置において、太陽電池から発生する電力や発電機能によって得られた電力を蓄える蓄電池の電力を外部に送電しようとする場合、そのための接続配線が必要になる。特に、太陽電池がロールスクリーンと一体となった装置においては、太陽電池がスクリーン部と一体的に巻き取られるため、電力を外部に送電するには、ロータリコネクタなどの回転可能な電気的接続手段を別途取り付けて巻き取りによる回転の影響を無くす必要がある。
【０００６】
しかしながら、ロールスクリーン装置にこの接続配線を設けたときに、この接続配線がスクリーン部の巻き取りや引き出しの操作の際に邪魔になるおそれがある。また、この接続配線が露出した状態になってしまい、破損のおそれや見た目にも良くないという問題もある。さらに、露出した接続配線を覆うためにカバー部材を別途取り付ける必要が生じ、ロールスクリーン装置が大形化するという問題もある。
【０００７】
また、カーテンボックスの中に納められている巻取りパイプの幅方向端部に、電気的接続手段を取り付けると、カーテンボックスの水平方向の幅が増大し、ロールスクリーン装置の設置場所の確保が困難となり、場合によっては窓に設置できない場合がある。加えて、大きな窓に複数のロールスクリーン装置を連続して設ける場合、スクリーン部間にロータリコネクタの幅分の隙間が生じることとなるので、スクリーン部の間から光が漏れることとなり、充分な遮光効果が達成できない場合がある。このように、発電機能を備えたロールスクリーン装置においては、ロールスクリーン装置の機能を維持しつつ発生した電力を外部に送電するという、特有の課題が存在する。
【０００８】
本発明はこのような事情に鑑みてなされたものであり、装置を大形化させることなく接続配線が露出することを防止して、接続配線の耐久性を高め、かつスクリーン部の操作の邪魔にならないようにするロールスクリーン装置を提供することを課題とする。
【課題を解決するための手段】
【０００９】
本発明に係るロールスクリーン装置は、上記の課題を解決するためのものであって、シート状に構成される複数の太陽電池ユニットが並設されて構成されるスクリーン部と、スクリーン部を巻き取り可能な巻き取り部とを備え、巻き取り部は、太陽電池ユニットに接続される接続配線を内部に挿通するための配線口を有し、配線口は、巻き取り部の長手方向の中途部に設けられることを特徴とする。
【００１０】
かかる構成によれば、太陽電池ユニットに接続される接続配線が配線口を通じて巻き取り部の内部に収納されることから、この接続配線は露出することなく、スクリーン部の巻き取りや引き出しの際に邪魔になることもなく、装置の大形化も抑制できる。
【００１１】
また、本発明に係るロールスクリーン装置によれば、巻き取り部は、配線口から内部に挿通される接続配線を接続するロータリコネクタを備える構成を採用できる。
【００１２】
かかる構成によれば、太陽電池ユニットからの配線をロータリコネクタに接続することで、太陽電池ユニットで発電された電力を、ロータリコネクタを介して巻き取り部から外部に送ることができるようになる。
【００１３】
また、本発明に係るロールスクリーン装置によれば、配線口は、スクリーン部の幅方向の端部よりも幅方向の内側の位置で、巻き取り部の長手方向の中途部に設けられることが望ましい。
【００１４】
かかる構成によれば、接続配線を配線口を通じて巻き取り部の内部に収納することにより、この接続配線がスクリーン部の幅方向の端部から外方に露出することがなくなる。
【００１５】
また、本発明に係るロールスクリーン装置によれば、スクリーン部は、太陽電池ユニットと巻き取り部とを連結するシート状の連結部を備え、連結部は、太陽電池ユニットに設けられる接続配線と、配線口に挿通される接続配線とを電気的に接続するための接続配線を備える構成を採用できる。
【００１６】
かかる構成によれば、太陽電池ユニットの接続配線と配線口との間隔が離れた位置にあったとしても、連結部に設けられる接続配線によって、太陽電池ユニットと配線口に挿通される接続配線とを電気的に接続することが可能になる。
【００１７】
また、本発明に係るロールスクリーン装置によれば、巻き取り部は、太陽電池ユニットによって発電される電力を蓄電するバッテリを内部に備えることが望ましい。
【発明の効果】
【００１８】
本発明によれば、装置を大形化させることなく接続配線が露出することを防止して、接続配線の耐久性を高め、かつスクリーン部の操作の邪魔にならないようにすることができる。
【図面の簡単な説明】
【００１９】
【図１】図１は、本発明の第１実施形態に係るロールスクリーン装置の正面図である。
【図２】図２は、同実施形態におけるロールスクリーン装置の背面図である。
【図３】図３は、巻き取り部の端部の拡大斜視図である。
【図４】図４は、巻き取り部の側面図である。
【図５】図５は、ロールスクリーン装置の一部の組み立て図である。
【図６】図６は、制御部とロータリコネクタとバッテリの位置関係を示す斜視図である。
【図７】図７は、同実施形態におけるロールスクリーン装置の電気的構成を示すブロック図である。
【図８】図８は、ロータリコネクタの断面図である。
【図９】図９は、本発明の第２実施形態に係るロールスクリーン装置の正面図である。
【図１０】図１０は、同実施形態におけるロールスクリーン装置の背面図である。
【図１１】図１１は、同実施形態におけるロールスクリーン装置の電気的構成を示すブロック図である。
【発明を実施するための形態】
【００２０】
以下、本発明を実施するための形態を、図面に基づき説明する。図１〜図８は、本発明に係るロールスクリーン装置１の第１実施形態を示す。
【００２１】
図１は、ロールスクリーン装置の正面図を示す。図２はロールスクリーン装置の背面図を示す。図１、図２に示すように、ロールスクリーン装置１は、主に、シート状に構成されるスクリーン部２と、スクリーン部２を巻き取るための略円筒状の巻き取りパイプ１６を含む巻き取り部３と、巻き取り部３の巻き取りパイプ１６を回転駆動するための駆動部４と、巻き取り部３の巻き取りパイプ１６を回転自在に保持する保持部材５とを備える。
【００２２】
ロールスクリーン装置１は、たとえば、室内において窓際に配置され窓を室内側から覆うことで、遮光および発電を同時に行うことができる。ロールスクリーン装置１は、スクリーン部２の巻き取り状態によって、使用状態、収納状態、および移行状態に大別される。使用状態は、スクリーン部２が巻き取り部３から引き出されて遮光および発電できる状態である。収納状態は、スクリーン部２が巻き取り部３に巻き取られて収納された状態である。移行状態は、巻き取り部３が使用状態から収納状態へ、あるいは収納状態から使用状態に移行している途中の状態である。
【００２３】
図１、図２において、スクリーン部２は、巻き取り部３から引き出された使用状態になっている。スクリーン部２は、可撓性を有する長方形状のシート体として構成される。スクリーン部２は、その長手方向（鉛直方向）の上端部が巻き取り部３に連結され、下端部にアンカー部６が設けられている。アンカー部６は、筒状に構成されるとともに、重量物からなるウェイトバー（図示せず）が内蔵されている。
【００２４】
アンカー部６の端部には、スクリーン部２によって発電される電力を外部に出力するための出力コネクタ７が設けられている。また、アンカー部６には、所定の接続配線８が内蔵されている。
【００２５】
スクリーン部２は、複数のシート状の太陽電池ユニット１１と、太陽電池ユニット１１と巻き取り部３とを連結するための連結部１２とを備える。
【００２６】
各太陽電池ユニット１１は、長方形状に構成されている。スクリーン部２は、太陽電池ユニット１１の長辺同士を接合するとともに、最も上側に位置する太陽電池ユニット１１と、連結部１２とを接合することによってシート状に構成される。
【００２７】
太陽電池ユニット１１は、発電素子１３、発電素子１３を封止する封止材（図示略）、及び、封止材を介して発電素子１３の両面を覆う被覆部（図示略）等からなる。発電素子１３には、この発電素子１３によって発電される電力を送電するための接続配線１４が接続されている。接続配線１４は、シート状の太陽電池ユニット１１の内部に埋設されている。
【００２８】
連結部１２は、長方形状でかつシート状に構成されている。連結部１２の長手方向の長さは、太陽電池ユニット１１の長手方向の長さと同じである。連結部１２は、鉛直方向の上端部近傍において、巻き取りパイプ１６との接続部１６ａで接続される。
【００２９】
接続部１６ａにおける接続の方法を以下に例示するが、これらに限定されるものではない。
（１）スクリーン部の上端を巻き取りパイプに直接、接着又はテープ材によって固定する。
（２）スクリーン部の上端に接着や縫製等の方法によって押さえ部材を取付け、その押さえ部材を巻き取りパイプの外周面に設けた取付け凹部に嵌め込むことで固定する。
（３）スクリーン部の上端にプレートを取り付け、そのプレートを巻き取りパイプの長さ方向に複数箇所ネジを用いて固定する。
（４）スクリーン部の上端縁又はその端縁に設けたループ材通して固定した芯棒を、巻き取りパイプに設けた固定溝にその端面開口から挿通し、ストッパ部や熱接着テープなどで固定する。
（５）スクリーン部の上端を巻き取りパイプの外周に設けられた円弧状の固定溝に嵌め込み、固定溝の端部に回動自在に軸支された係合蓋によって完全に閉塞して固定する。
【００３０】
図３は、巻き取り部３の端部の拡大斜視図である。また、図４（ａ）（ｂ）は、巻き取りパイプ１６とスクリーン部２の上部の側面図である。図３、図４に示すように、接続部１６ａにおいて巻き取りパイプ１６に連結部１２を接着テープ１６ｂで固定される構造としている。このような構成であれば、容易かつ確実にスクリーン部２を巻き取りパイプ１６に固定することができる。
【００３１】
この連結部１２の鉛直方向の幅（長手方向に直交する方向の長さ）は、巻き取り部３の円周の長さの１．２５倍以上にされていることが望ましい。これにより、連結部１２は、スクリーン部２が巻き取り部３から引き出された使用状態においても、巻き取り部３に対して少なくとも１．２５回、すなわち１周と１／４周分、図４（ｂ）に示すような余巻きが生じるように巻き付けられた状態となるように構成されている。
【００３２】
この余巻きによって、スクリーン部２同士、およびスクリーン部２と巻き取りパイプ１６表面との間が自重により密着することにより摩擦力が発生し、スクリーン部２を巻き取りパイプ１６全体で支えることができる。このことにより、スクリーン部２を接続部１６ａのみで支える必要が無くなり、接続部１６ａへの負荷を軽減させることとなる。これによって、スクリーン部２は、接続部１６ａの破損を抑制し、巻き取り部３に安定的に支持され得る。
【００３３】
余巻きの量は、１周と１／４周分が特に好ましいが、これに限定されず、たとえば１周と１／８周分〜２周分の範囲で適宜選択することができる。余巻き長が１／８周分未満となるとスクリーン部２を摩擦力によって支える力が低下して接続部１６ａへの負荷が増大する上、ロールスクリーン本体の固定部位が露出する恐れがある。一方、余巻きの量が２周分よりも大きくなると、スクリーン部２を摩擦力によって支える力が向上しないので、材料が無駄となる上、スクリーン部２の巻き量が増大して装置の大形化を招くこととなる。
【００３４】
図１及び図２に示すように、この連結部１２の内部には、太陽電池ユニット１１の接続配線１４に接続される接続配線１２ａが埋設されている。この連結部１２には、発電素子１３が設けられていない。このため、連結部１２に埋設される接続配線１２ａのパターンを自由に設定することが可能になる。この接続配線１２ａの一端部は、連結部１２から露出している。この露出した部分には、所定長さのリード線（接続配線）１５が接続される（図３参照）。
【００３５】
図５、図６に示すように、巻き取り部３は、円筒状の巻き取りパイプ１６と、所定の制御を行うための制御部１７と、太陽電池ユニット１１を制御部１７に電気的に接続するために前記リード線１５を挿通するための配線口１８と、巻き取り部３を介してロールスクリーン装置１と外部機器とを電気的に接続するためのロータリコネクタ１９と、太陽電池ユニット１１によって発電された電力を蓄電するバッテリ（蓄電池）２０と、を備える。なお、図５は、巻き取り部３（巻き取りパイプ１６）の一端部３ａから制御部１７、バッテリ２０、及びロータリコネクタ１９、温度センサ２７を取り外した状態を示す分解斜視図である。図６は、巻き取りパイプ１６内における制御部１７、ロータリコネクタ１９の内部構造、バッテリ２０、および温度センサ２７の構成を示す拡大斜視図である。
【００３６】
巻き取りパイプ１６としては、例えば金属製、樹脂製などの管が採用されるが、耐久性の観点からアルミニウム、ステンレス、鉄などの金属製が好適であり、特に押し出し形材で円筒状に形成されたアルミニウム製の管が軽量で強度が高いので好適である。巻き取りパイプ１６の両端部は、保持部材５に回転自在に支持される。巻き取りパイプ１６の各端部には、保持部材５に支持される軸部が設けられている。
【００３７】
図７は、ロールスクリーン装置１の電気的構成を示すブロック図である。図７に示すように、制御部１７は、太陽電池ユニット１１、ロータリコネクタ１９、及びバッテリ２０、温度センサ２７と電気的に接続されている。この制御部１７は、基板２１と、マイコン（マイクロコンピュータ）２２と、バッテリ２０への充電を制御するための充電コントローラ２３とを有する。
【００３８】
基板２１は、図１、図２、図５に示すように、巻き取りパイプ１６内にバッテリ２０と重ねられて収納されている。このように、基板２１とバッテリ２０が並設収納することにより、基板２１とバッテリ２０を巻き取りパイプ１６内の長手方向に沿って短い領域に収納することができ、巻き取りパイプ１６内に余剰空間が生まれる。このことによって、巻き取り部３の設計の自由度を向上させることができる。たとえば巻き取りパイプ１６内に、後述する巻き取り用バネを収容する場合、巻き取り用バネの配置設計を容易にすることができる。
【００３９】
マイコン２２は、基板２１に搭載されている。図７に示すように、マイコン２２は、太陽電池ユニット１１と、充電コントローラ２３と、バッテリ２０と、温度センサ２７とに電気的に接続されている。この構成により、マイコン２２は、充電コントローラ２３と、バッテリ２０とに所定の制御信号を送信できる。
【００４０】
また、図１、図２に示すように、マイコン２２には、バッテリ２０に近接して配置される温度センサ２７が接続されている。マイコン２２は、温度センサ２７によって検知される温度に応じて、充電コントローラ２３を通じてバッテリ２０の充電を制御し、過充電などの不具合の発生を防止する。
【００４１】
充電コントローラ２３は、基板２１に搭載されている。図７に示すように、充電コントローラ２３は、太陽電池ユニット１１と、マイコン２２と、バッテリ２０とに電気的に接続されている。この構成により、充電コントローラ２３は、マイコン２２からの制御信号に応じて、太陽電池ユニット１１によって発電される電力をバッテリ２０に充電させることができる。
【００４２】
配線口１８は、巻き取りパイプ１６の中途部に設けられている。より具体的には、配線口１８は、スクリーン部２の幅方向の端部よりも幅方向の内側の位置で巻き取りパイプ１６の中途部に形成されている。この配線口１８は、スクリーン部２における連結部１２と制御部１７とを  電気的に接続するためのリード線１５を通過させるためのものである。例えば、配線口１８は、巻き取りパイプ１６に貫通して形成される開口部であるが、この開口部にコネクタを設けることによって構成されてもよい。配線口１８の位置は、巻き取りパイプ１６の長手方向に対して、スクリーン部２よりも内側に設けられているのが望ましく、配線口１８をこの位置に配置すると、スクリーン部２が巻き上げられる際にリード線１５などの配線系統を損傷することが無く、スクリーン部２が巻き上げられた状態においては、巻き上げられたスクリーン部２によって配線口１８が保護されるので、電気系統の耐久性が向上する。
【００４３】
配線口１８の配置を巻き取りパイプ１６の端部に近接過ぎると、スクリーン部２の巻き取り時にスクリーン部２の端部によってリード線１５などの配線系統を破損する虞が高くなる。一方、配線口１８の配置を巻き取りパイプ１６の中央方向にしていくと、巻き取りパイプ１６内にコイルバネや大容量バッテリなどの構成物を配置する空間が少なくなる。例えば、この配線口１８は、巻き取りパイプ１６の端部から１００ｍｍ以上２５０ｍｍ以下の範囲に設けられることが望ましい。また、この配線口１８の位置は、巻き取りパイプ１６の長さをＬとしたとき、巻き取りパイプ１６の端部から０．１０Ｌ（１００／１０００×Ｌ）以上０．２７Ｌ（２７０／１０００×Ｌ）以下の範囲内に設けられることが望ましい。
【００４４】
図３に示すように、リード線１５は、太陽電池ユニット１１と通電するように連結部１２の接続配線１２ａと接続されており、接続部１６ａにおいて、接着テープ１６ｂによってスクリーン部２を固定すると同時に固定されている。連結部１２の接続配線１２ａとの接続部分も共に接着テープ１６ｂで固定する構成をとることによって、リード線１５が封止され、外部からの力による切断を防ぐ事ができる。さらに、リード線１５が接着テープ１６ｂによって被覆されることになるため、この部分の絶縁処理も効果的に行われることとなる。
【００４５】
図８は、ロータリコネクタ１９の断面図を示す。ロータリコネクタ１９は、巻き取り部３の巻き取りパイプ１６の内側に固定される筒体３０と、筒体３０を回転自在に支持する支持軸３１と、支持軸３１の中途部に設けられる電極３２（３２ａ、３２ｂ）と、電極３２（３２ａ、３２ｂ）に接触するブラシ３３と、ブラシ３３を支持する支持部材３４とを備える。
【００４６】
筒体３０は、その外面が巻き取り部３の巻き取りパイプ１６の内面に接触した状態で、この巻き取りパイプ１６に固定されている。これにより、筒体３０は、巻き取り部３と一体となって回転可能となっている。
【００４７】
支持軸３１は、筒体３０を回転自在に支持している。支持軸３１は、一端部が筒体３０の外部に露出しており、他端部が筒体３０の内部に収納されている。支持軸３１の一端部は、巻き取り部３の軸部として機能する。電極３２に接続されているリード線３５ａを挿通すべく、中空状（筒状）に構成される。支持軸３１の一端部は、筒体３０内に導入される接続配線３５を外部に露出させることができる。これにより、支持軸３１の一端部は、ロールスクリーン装置１において、太陽電池ユニット１１によって発電される電力を外部に出力するための出力口３６としても機能する。
【００４８】
支持軸３１の中途部に設けられる電極３２は、正極３２ａ及び負極３２ｂにより構成される。各電極３２（３２ａ、３２ｂ）は、環状（リング状）の金属板によって構成されている。各電極３２（３２ａ、３２ｂ）は、支持軸３１に挿通されて固定されている。
【００４９】
ブラシ３３は、２つの電極３２（３２ａ、３２ｂ）に対応して、正極用ブラシ３３ａ及び負極用ブラシ３３ｂを備える。各ブラシ３３（３３ａ、３３ｂ）は、支持部材３４によって保持されながら、各電極３２（３２ａ、３２ｂ）に常時接触した状態を維持する。各ブラシ３３は、筒体３０が巻き取り部３とともに支持軸３１に対して回転したときに、この巻き取り部３とともに支持軸３１の周りを回転する。
【００５０】
支持部材３４は、筒体３０の内側に固定されている。支持部材３４は、各ブラシ３３（３３ａ、３３ｂ）を支持するための支持部３４ａを有する。支持部３４ａは、筒状に構成されている。この支持部３４ａは、内部に圧縮バネ４０を有する。支持部材３４は、支持部３４ａの一端部の開口から挿入されるブラシ３３を圧縮バネ４０で付勢することにより、ブラシ３３の電極３２（３２ａ、３２ｂ）への接触を維持したままでこのブラシ３３を支持する。支持部３４ａには、バッテリ２０からのリード線３５ｂが接続されている。これにより、ブラシ３３とバッテリ２０とは電気的に接続される。
【００５１】
以上の構成により、ロータリコネクタ１９は、巻き取り部３が回転したときに、リード線３５ｂがこの回転による影響を受けることなく、バッテリ２０からの電力を出力口３６から外部へと送電できる。
【００５２】
図７に示すように、バッテリ２０は、マイコン２２、充電コントローラ２３、出力口３６に接続されている。また、バッテリ２０は、出力口３６を介して外部機器に電力を供給できる。
【００５３】
駆動部４は、本実施形態では、巻き取りパイプ１６内に収納される巻き取り用バネである。本実施形態において、ロールスクリーン装置１の使用者は、巻き取り部３に巻き取られているスクリーン部２を手で引き出すことができる。このとき、駆動部４である巻き取り用バネは、スクリーン部２が引き出されたことにより弾性変形するように構成されている。このため、巻き取り用バネは、弾性変形した状態から元の状態に復元することにより、巻き取りパイプ１６を駆動して、スクリーン部２を巻き取り部３に巻き取らせることができる。
【００５４】
保持部材５は、図１に示すように、巻き取り部３の軸部を側方から支持する一対のブラケット５ａと、２つのブラケット５ａを接続し支持するフレーム５ｂとを備える。各ブラケット５ａは巻き取り部３の軸部を回転不能に支持する。フレーム５ｂは、巻き取り部３の上方から吊り下げるための部材であり、たとえば天井に設けられた固定部材と連結してロールスクリーン装置１を窓部などに設置することができる。
【００５５】
図９〜図１１は、ロールスクリーン装置１の第２実施形態を示す。本実施形態において、第１実施形態と同じ参照符号が付された要素は、第１実施形態において説明した要素と同じものである。以下、本実施形態が第１実施形態と異なる点について説明する。なお、図９は、本実施形態におけるロールスクリーン装置１の正面図を示す。図１０は、本実施形態におけるロールスクリーン装置１の背面図を示す。図１１は、本実施形態におけるロールスクリーン装置１の電気的構成を示すブロック図である。
【００５６】
第１実施形態では、駆動部４として巻き取り用バネが採用されていたが、本実施形態では、駆動部４として昇降モータが採用される。駆動部４は、制御部１７及びバッテリ２０に電気的に接続されている。駆動部４における昇降モータの回転軸は、ロータリコネクタ１９を介して巻き取り部３（巻き取りパイプ１６）の他端部３ｂに設けられる。この駆動部４は、外部電源に接続されていてもよい。
【００５７】
図９、図１０に示すように、本実施形態では、基板２１とバッテリ２０が、巻き取りパイプ１６内の長手方向に沿って並設されるように収納されている。この構成をとると、バッテリ２０の大容量化に対応できるので、電動巻き取りの場合に好適に用いることができる。
【００５８】
また、図９〜図１１に示すように、制御部１７には、巻き取り部３の外部に設けられる照度センサ２７が電気的に接続されている。本実形態のように電動巻き取りでスクリーン部２を巻き上げる構成の場合、照度センサ２６によって検知される照度に応じて、スクリーン部２の巻き上げ（巻き取り）を制御することができる。具体的には、照度センサ２６からの信号に応じて、制御部１７のマイコン２２が昇降モータを含む駆動部４を制御して巻き取り部３を回転させることによって、スクリーン部２の巻き降ろし動作を実行する。
【００５９】
巻き取りパイプ１６に内蔵されるバッテリ２０は、駆動部４と電気的に接続されている。これにより、バッテリ２０は、マイコン２２による制御によって駆動部４に必要な電力を供給できる。
【００６０】
以上説明した本発明に係るロールスクリーン装置１によれば、連結部１２を介して太陽電池ユニット１１に接続される接続配線であるリード線１５が、巻き取り部３の中途部に形成される配線口１８を通じて巻き取り部３の内部に収納されることから、スクリーン部２の巻き取りや引き出しの際に、このリード線１５が邪魔になることはなくなる。また、このリード線１５は連結部１２を巻き取り部３に巻き付けることによって、この連結部１２に被覆されることになるため、露出することもなくなる。さらに、配線口１８は、スクリーン部２の幅方向の端部よりも幅方向の内側の位置で、巻き取り部３の長手方向の中途部に設けられることから、リード線１５がスクリーン部２の幅方向の端部から外方に露出することがなくなる。これらによって、ロールスクリーン装置１は、リード線１５を保護するカバー部材などを別途取り付けることなく、リード線１５の破損のおそれを低減し、耐久性を高めるとともに、装置の大形化を抑制できる。
【００６１】
また、太陽電池ユニット１１からの配線をロータリコネクタ１９に接続することで、太陽電池ユニット１１で発電された電力を、ロータリコネクタ１９を介して巻き取り部３から外部に送ることができるようになる。また、ロールスクリーン装置１は、巻き取り部３内にロータリコネクタ１９を内蔵しているので、ロータリコネクタ１９をブラケット５ａの外側に設置する構成に比べて、小形化が可能となる。
【００６２】
また、スクリーン部２の上部に連結部１２を設けることによって、例えば、太陽電池ユニット１１の接続配線１４と配線口１８との間隔が離れた位置にあったとしても、連結部１２に設けられる接続配線１２ａにより、太陽電池ユニット１１と、配線口１８に挿通されるリード線１５とを電気的に接続することが可能になる。さらに、接続配線１４と巻き取り部３の配線口１８との位置が水平方向に異なる太陽電池ユニット１１を用いた場合でも、連結部１２のみを新たに設計・製造すれば容易に対応できるようになるので、太陽電池ユニット１１の汎用品も比較的自由に用いることができる。
【００６３】
また、本実施形態では巻き取り部３内の左側に制御部１７を収納しているが、これに限定されず、右側、中央など任意の位置に適宜配置することができる。配線口１８の位置は、制御部１７の配置位置の変更に合わせて変更する必要がある。このように配線口１８の位置が変わった場合でも、連結部１２の設計変更によって、容易に電気的接続を保つことができる。このように、スクリーン部２の上部に連結部１２を設けることによって、巻き取り部３およびスクリーン部２の設計の自由度を飛躍的に高めることができる。
【００６４】
また、巻き取り部３内にバッテリ２０を設けることにより、太陽電池ユニット１１によって発電される電力を効率的かつ多角的に利用できるようになる。
【００６５】
なお、本発明に係るロールスクリーン装置は、上記実施形態の構成に限定されるものではない。また、本発明に係るロールスクリーン装置は、上記した作用効果に限定されるものでもない。本発明に係るロールスクリーン装置は、本発明の要旨を逸脱しない範囲で種々の変更が可能である。
【００６６】
例えば、上記の実施形態では、巻き取り部３の内部にバッテリ２０が収納された例を示したが、これに限定されない。バッテリ２０は巻き取り部３内に設けられていなくてもよい。
【００６７】
上記の実施形態における制御部１７が、照度センサ２６、温度センサ２７を介して駆動部４、バッテリ２０の制御を行う例を示したがこれに限定されず、これらのセンサを省略してもよい。
【００６８】
また、スクリーン部２の下部に設けられるアンカー部６内にバッテリ２０を収納することも可能である。
【符号の説明】
【００６９】
１…ロールスクリーン装置、２…スクリーン部、３…巻き取り部、３ａ…巻き取り部の一端部、３ｂ…巻き取り部の他端部、４…駆動部、５…保持部材，５ａ…ブラケット、５ｂ…フレーム、６…アンカー部、７…出力コネクタ、８…接続配線、１１…太陽電池ユニット、１２…連結部、１２ａ…接続配線、１３…発電素子、１４…接続配線、１５…リード線、１６…巻き取りパイプ、１６ａ…接続部、１６ｂ…接着テープ、１７…制御部、１８…配線口、１９…ロータリコネクタ、２０…バッテリ、２１…基板、２２…マイコン、２３…充電コントローラ、２６…照度センサ、２７…温度センサ、３０…筒体、３１…支持軸、３２…電極、３２ａ…正極、３２ｂ…負極、３３…ブラシ、３４…支持部材、３４ａ…支持部、３５ａ…リード線、３５ｂ…リード線、３６…出力口、４０…圧縮バネ
【図１】
2014198972.tif 000003
【図２】
2014198972.tif 000004
【図３】
2014198972.tif 000005
【図４】
2014198972.tif 000006
【図５】
2014198972.tif 000007
【図６】
2014198972.tif 000008
【図７】
2014198972.tif 000009
【図８】
2014198972.tif 000010
【図９】
2014198972.tif 000011
【図１０】
2014198972.tif 000012
【図１１】
2014198972.tif 000013